(57)【特許請求の範囲】
【請求項１】
細長形状の浴槽本体の外面を上部が開放され底面に車輪を有する細長箱形状のカバーで覆い、両者を一体化して浴槽を構成すると共に、前記浴槽本体の内部に向けて空気及び／又は湯水を噴射する噴射機構と、前記浴槽本体内の湯水を外部に排水する排水機構と、前記カバー底面の車輪を回転駆動する駆動機構と、前記噴射機構及び前記駆動機構の駆動を制御する制御部とを前記浴槽本体と前記カバーとで形成される間隙部に収容し、かつ、前記カバーにリモコン送信機からの信号により前記駆動機構を操作する受信部を設けてなることを特徴とする移動式浴槽装置。
【請求項２】
前記浴槽本体には、一方の短手側面の上端から内側下端に向けて傾斜したバックレストが設けられ、前記噴射機構は、ジェットポンプと、前記ジェットポンプのインレット側にパイプを介して接続され前記浴槽本体の上縁面に開口されたバルブ付きの空気取入口と、前記ジェットポンプのインレット側にパイプを介して接続され前記浴槽本体の側壁に開口されたバルブ付きの湯水取入口と、前記ジェットポンプのアウトレット側にパイプを介して接続され前記浴槽本体の側壁に開口された噴射口とからなり、前記駆動機構は、電動モータと、一方が前記電動モータの出力軸側に連結され他方が前記車輪の入力軸側に連結された駆動伝達機構とからなることを特徴とする請求項１に記載の移動式浴槽装置。
【請求項３】
前記浴槽本体と前記カバーとを一体化してなる浴槽は、その周壁の一部を切除して設けられた車椅子出入用の開口部を密封状に閉塞する開閉扉と、前記開口部に前記車椅子の出入を容易にするスロープ台を備えていることを特徴とする請求項１又は２に記載の移動式浴槽装置。
【発明の詳細な説明】
【０００１】
【発明の属する技術分野】
本発明は、湯水を収容して身体の洗浄等を行なう浴槽装置に関し、詳しくは、移動性をもたせて設置場所を簡単容易に選択できるようにした移動式浴槽装置に関する。
【０００２】
【従来の技術】
従来、移動性をもたせた浴槽装置としては、キャスター付き浴槽が知られている（実開平２−１１９８８６号公報参照）。すなわち、キャスター付き浴槽は、浴槽下面の四隅のうち前端側の隅部に移動用のキャスターを設ける構成とし、移動性をもたせて設置場所を自由に選択できるようにし、シャワーの近く、ベランダ、さらには屋外の陽当たりの良い場所などに浴槽を移動できるようにしている。
【０００３】
ところで、最近、浴槽装置の用途は、ライフスタイル、家屋構造の変化等に対応して、単に浴槽に収容した湯水で身体を洗浄することから、湯水に各種の入浴剤を混入して身体を保温、治療することや、湯水に空気、または空気、湯水の混合物を噴射して身体をマッサージすること等にまで拡張されてきている。そして、浴槽装置の設置場所も、専用の浴室から居室、さらには陽当たりの良いベランダ等にまで拡張されてきている。これに伴って、浴槽装置の使用に用意される小物類も、タオル、石鹸等から入浴剤、薬剤等にまで拡張されてきている。
【０００４】
従来、このような浴槽装置の用途の多様化に対応するために、特開平８−２１５０８９号の浴槽装置が提案されている。
【０００５】
この従来の浴槽装置では、浴槽と浴槽を覆うカバーとの間に形成された間隙部のデッドスペースを有効利用して、浴槽に付属する各種の機構を間隙部に収納する技術が開示されている。そして、間隙部に収容される機構の具体例としては、浴槽の内部に対して空気または空気、湯水の混合物を噴射する噴射機構、浴槽の内部に対して入浴剤、薬剤等を投入する入浴剤投入機構、浴槽の内部を照射する照明機構、浴槽に収容されている湯水を濾過清浄化する濾過機構、ステレオなどの音響機器、さらにテレビ、電話等の情報機器等が開示されている。
【０００６】
【発明が解決しようとする課題】
このように最近の浴槽装置にあっては、用途の多様化に対応すべく各種の機構を付設する傾向にある。それ故、浴槽装置が重量化したり中型乃至大型化したりして、浴槽装置の移動に手間が掛かって困難を伴う問題があった。
そのため、従来の浴槽装置にあっては、用途の多様化に対応して移動性の一層の向上が要望されている。
【０００７】
そこで、本発明は、このような問題点を考慮してなされたもので、重量化したり中型乃至大型化しても移動作業が簡単容易にでき用途の多様化に対応できる移動式浴槽装置を提供することを課題とする。
【０００８】
【課題を解決するための手段】
前述の課題を解決するため、本発明に係る移動式浴槽装置は、次のような手段を採用する。
【０００９】
即ち、請求項１に記載の発明は、細長形状の浴槽本体の外面を上部が開放され底面に車輪を有する細長箱形状のカバーで覆い、両者を一体化して浴槽を構成すると共に、前記浴槽本体の内部に向けて空気及び／又は湯水を噴射する噴射機構と、前記浴槽本体内の湯水を外部に排水する排水機構と、前記カバー底面の車輪を回転駆動する駆動機構と、前記噴射機構及び前記駆動機構の駆動を制御する制御部とを前記浴槽本体と前記カバーとで形成される間隙部に収容し、かつ、前記カバーにリモコン送信機からの信号により前記駆動機構を操作する受信部を設けてなる移動式浴槽装置であることを特徴とする。
【００１１】
請求項２に記載の発明は、前記浴槽本体には、一方の短手側面の上端から内側下端に向けて傾斜したバックレストが設けられ、前記噴射機構は、ジェットポンプと、前記ジェットポンプのインレット側にパイプを介して接続され前記浴槽本体の上縁面に開口されたバルブ付きの空気取入口と、前記ジェットポンプのインレット側にパイプを介して接続され前記浴槽本体の側壁に開口されたバルブ付きの湯水取入口と、前記ジェットポンプのアウトレット側にパイプを介して接続され前記浴槽本体の側壁に開口された噴射口とからなり、前記駆動機構は、電動モータと、一方が前記電動モータの出力軸側に連結され他方が前記車輪の入力軸側に連結された駆動伝達機構とからなる移動式浴槽装置であることを特徴とする。
【００１２】
請求項３に記載の発明は、前記浴槽本体と前記カバーとを一体化してなる浴槽は、その周壁の一部を切除して設けられた車椅子出入用の開口部を密封状に閉塞する開閉扉と、前記開口部に前記車椅子の出入を容易にするスロープ台を備えている移動式浴槽装置であることを特徴とする。
【００１３】
請求項１に記載の発明では、浴槽本体とカバーとで形成される間隙部のデッドスペースを有効利用して電動モータ等の機器類の収納スペースを確保できる。
【００１４】
この間隙部は、たとえば以下（図２）の実施の形態に示すように、浴槽本体１とカバー１０との間のバックレスト間隙部Ｓ１で構成されている。
【００１５】
このバックレスト間隙部Ｓ１は、より広い収納スペースとして有効に活用される。
【００１８】
請求項２に記載の発明は、たとえば以下（図２）の実施の形態に示すように、駆動機構１８と車輪１５とを伝達機構１９を介して連結する構成となっている。
【００２２】
請求項３に記載の発明では、たとえば以下（図５）に示す実施の形態のように、浴槽装置を移動するとき、リモコン送信機４５を受信部４６に向けて操作し、信号を受信部４６に送って駆動機構１８を駆動する。
【００２４】
請求項３に記載の発明では、たとえば以下（図６）に示す実施の形態のように、車椅子使用者が入浴する場合、開閉扉５１を開いて開口部５０から車椅子を浴槽Ａ内に入れ、次いで開閉扉５１を閉じて開口部５０を密封状に閉塞し、浴槽Ａ内に湯を溜めて車椅子に座した儘で入浴を行なう。しかして、入浴を終えれば、浴槽Ａ内の湯を排出し、開閉扉５１を開いて後、開口部５０から車椅子を浴槽Ａ外に出す。
【００２５】
なお、この実施の形態では、図示するように、浴槽Ａへの車椅子の出入りをスムーズにするスロープ台５５が浴槽Ａに対して引出し可能に設けられている。
【００２６】
このスロープ台５５は、使用時には引き出されて浴槽Ａに接続され、不使用時には押し込まれて収納される。
【００２７】
なお、たとえば以下（図７）に示す他の実施の形態のように、開閉扉５１を天地方向に開閉自在に設け、スロープ台と開閉扉とを兼ねるように構成してもよい。
【００２９】
【発明の実施の形態】
以下、本発明に係る移動式浴槽装置を図面に基いて詳細に説明する。図１〜図３は、本発明に係る移動式浴槽装置の第１の実施形態を示すものである。
【００３０】
浴槽Ａは、浴槽本体１とカバー１０とからなる。
【００３１】
浴槽本体１は、比較的浅底の細長形の洋式からなる。この浴槽本体１の一方の短手側面には、入浴者の入浴姿勢を楽にするために、上端から下端へ連続して内側へ向けて傾斜したバックレスト２が設けられている。このバックレスト２は、浴槽本体１の底面５に対して１００〜１５０度の角度範囲に設定するのが好ましく、最適な角度として１２０度が選択される。
【００３２】
この浴槽本体１のバックレスト２側には、入浴者が腕，手を載せるためのアームレスト３が設けられている。また、浴槽本体１の両長手側面の略中央には、入浴者が浴槽から立ち上がる際に手を掛けるための把手４が設けられている。
【００３３】
この浴槽本体１は、浴槽製造材料として広範に利用されているステンレス材，ＦＲＰ（繊維強化合成樹脂材）等を用いて成形等により製造される。なお、ＦＲＰの主材として広範に使用されているポリエステルに代えてアクリル系の合成樹脂材にガラス繊維を強化したＦＲＡを使用することができる。
【００３４】
また、この浴槽本体１には、浴槽本体１に収容された湯水をオーバフローさせたり排水させたりする排水機構６が設けられている。排水機構６は、浴槽本体１のバックレスト２の反対側の短手側面の上部に浴槽本体１の内外を貫通して設けられたオーバフロー口７と、オーバフロー口７に浴槽本体１の外部で接続して垂直下方に配設された配水管８と、浴槽本体１の底面５に開口されて配水管８の下端に接続した栓付きの排水口９とからなる。
【００３５】
上述のごとく構成された浴槽本体１は、外面をカバー１０で覆われる。
【００３６】
カバー１０は、浴槽本体１の上縁１ａに嵌合組付けしやすいように上部開放の箱形からなるもので、短手側面１１、長手側面１２、底面１３で浴槽本体１の側面，底面を覆うようになっている。
【００３７】
そして、浴槽本体１の上縁１ａのリブ内側にカバー１０の上端が係入して溶着、接着等の手段で一体化される。かかる組付けにより浴槽本体１と２重構造を構成して、浴槽本体１の側面，底面との間に間隙部Ｓが形成され、特に浴槽本体１のバックレスト２とカバー１０との間に広いバックレスト間隙部Ｓ１が形成されるようになっている。
【００３８】
なお、このカバー１０の製造材料については、浴槽本体１と同材質とするのが製造上便利であるが、浴槽本体１と異材質とすることも可能である。たとえば、広範に用いられているＦＲＰ、ＦＲＡ等の合成樹脂材やステンレス等の金属材が選択される。
【００３９】
上記カバー１０の底面１３の四隅付近には、車輪１５が設けられる。
【００４０】
車輪１５は、キャスタ構造をなし、カバー１０の底面１３にねじ止め、接着等により固設される。
【００４１】
一つの車輪１５の近傍には、車輪１５を回転駆動する駆動機構１８が設けられる。
【００４２】
駆動機構として、電動モータ１８が用いられる。電動モータ１８は、バックレスト間隙部Ｓ１に収容され、カバー１０の底面１３にボルト止め、接着等により固定される。なお、電動モータ１８は、浴槽装置の移動を容易にするもので、単独での浴槽装置の移動駆動力を起生することができる能力のものを選択するのが好ましいが、人力による移動を補助する程度の移動駆動力を起生することができる能力のものを選択することもできる。
【００４３】
電動モータ１８と車輪１５との間には、伝達機構１９が設けられる。
【００４４】
伝達機構１９として、たとえばチェーンやベルト等の無端状のものが用いられる。そして、伝達機構１９の一方が電動モータ１８の出力軸側に連結され、他方が車輪１５の入力軸側に連結されてなる。
【００４５】
なお、図中符号２０で示すものは、駆動機構の電源スイッチである。電源スイッチ２０は、カバー１０の側面に設けられ、制御部２１を介して電動モータ１８を操作するものである。
【００４６】
制御部２１は、電動モータ１８に接続して、電源スイッチ２０の操作に対応して電動モータ１８の動作を制御するものである。
【００４７】
しかして、この実施形態によれば、電源スイッチ２０をオンして電動モータ１８を駆動し、その駆動力を伝達機構１９を介して車輪１５に伝えて車輪１５を回転駆動することにより浴槽装置を簡単容易に移動することができる。よって、浴槽装置の移動性の一層の向上を図ることができ、浴槽装置が重量化したり大型化したりしてもその設置場所を自由に変更され得る。
【００４８】
ところで、この実施形態では、浴槽本体１の内部に向けて空気、湯水の混合物を噴射する噴射機構２２が設けられている。
【００４９】
噴射機構２２は、バックレスト間隙部Ｓ１に収納され固定されたジェットポンプ２３と、ジェットポンプ２３のインレット側にパイプを介して接続され浴槽本体１の上縁１ａ面に開口されたバルブ付きの空気取入口２４と、ジェットポンプ２３のインレット側にパイプを介して接続され浴槽本体１の側壁に開口されたバルブ付きの湯水取入口２５と、ジェットポンプ２３のアウトレット側にパイプを介して接続され浴槽本体１の側壁に開口された噴射口２６とからなる。空気取入口２４，湯水取入口２５は、それぞれ１口ずつ設けられている。噴射口２６は、浴槽本体１の長手側壁と短手側壁との間付近にそれぞれ１口ずつで合計４口設けられている。
【００５０】
この噴射機構２２には、前記制御部２１が接続されている。また、制御部２１には、操作部３１が接続されている。操作部３１は、浴槽の上縁に設けられたスイッチ機構等からなるもので、制御部２１を介して噴射機構２２を操作するものである。
【００５１】
このような構成により、浴槽装置の使用時に、湯水で身体を洗浄することに加えて、空気，湯水の混合物を噴射して身体をマッサージすることが可能になる。
【００５２】
上述した噴射機構２２は空気，湯水のいずれか一方のみを噴射するものであっても双方を噴射するものであってもよい。
【００５３】
また、この実施形態では、浴槽装置の使用に用意される小物類３５の収納スペース３６が設けられている。
【００５４】
すなわち、カバー１０の長手側壁１２の中央部には、カバー１０の外側に開放され間隙Ｓに凹入した収納スペース３６が設けられている。収納スペース３６は、図３に示されるように、浴槽装置の使用に用意されるタオル，石鹸等，入浴剤，薬剤等からなる小物類３５を収納することができる。この収納スペース３６は、間隙Ｓのデッドスペースが有効利用されたものであって、浴槽本体１の内部や浴槽本体１の外部に位置する前述の噴射機構２２，排水機構６の一部の部材に対して構造的に影響を与えることがない。収納スペース３６に収納された小物類３５については、浴槽Ａの使用時に入浴者が手を伸ばして出入れすることができ、浴槽装置が運搬されると一体的に運搬される。また、収納スペース３６の外側端の中央部には、横方向へ配設された転落防止柵３７が設けられている。転落防止柵３７は、浴槽装置の運搬の際に、小物類３５が収納スペース３６から転落するのを防止する。
【００５５】
なお、収納スペース３６については、図示しないが、カバー１０と別体に形成してカバー１０に開口した取付孔に嵌合取付することもできる。この製造手段によると、カバー１０の成形上のアンダカットの問題をクリアすることができる。
【００５６】
さらに、この実施形態では、カバー１０の外側に開放され間隙Ｓに凹入した手掛溝４０と、カバー１０の外側に突出したバー４１とが設けられている。バー４１は湾曲していて、入浴者等が接触した際に身体が傷付くのを防止することができるし、タオルを掛けたり浴槽装置全体を走行により運搬する際に手を掛けたりすることができる。これら手掛溝４０、バー４１の取付高さがほぼ一致していて、バー４１に掛けた手が手掛溝４０に侵入することによってカバー１０に接触して傷付くことを防止している。
【００５７】
ところで、図１〜図３に示す第１の実施形態では、電動モータ１８をバックレスト間隙部Ｓ１に収容する構成とした。しかし、この発明では、このような構成に限るものでなく、図４に示す第２の実施形態のように、カバー１０の底面１３に電動モータ１８をボルト止め、接着等により固設して外部に設置し、この電動モータ１８と一つの車輪１５とを軸状の伝達機構１９で直接連結する構成とすることもできる。
【００５８】
この実施形態において、移動式浴槽装置の他の構成・作用は、上述した第１の実施形態と略同様の構成・作用を奏するので、同一符号を付して詳しい説明を省略する。
【００５９】
上述したように電動モータ１８と一つの車輪１５とを軸状の伝達機構１９で直接連結する実施形態においては、図示しないが、浴槽本体１の底面５に電動モータ１８をボルト止め、接着等により固設する構成とすることもできる。
【００６０】
また、図示したすべての実施形態では、駆動機構の操作部を浴槽本体の外面またはカバーの外面に設ける構成とした。しかし、この発明では、このような構成に限るものでなく、図５に示す第３の実施形態のように、駆動機構１８を操作可能なリモコン送信機４５を備える構成とすることができる。この場合、カバー１０の長手側面１２には、リモコン送信機４５からの信号を受信する受信部４６が設けられる。
【００６１】
そして、この実施形態によれば、手元でリモコン送信機４５を操作し、リモコン送信機４５からの信号を受信部４６で受信して駆動機構１８を駆動するので、操作性の向上を図ることができる。
【００６２】
ところで、老齢化の進行等によって身体の不自由な人が増えつづける社会情勢の中、車椅子に乗れば行動可能な人にとっては独力で羞恥心なく入浴できることが大きな喜びであるし機能訓練にもなるので、車椅子に座した儘で入浴することができる入浴装置が切望されている。
【００６３】
そこで、この発明では、図６に示す第４の実施形態のように、浴槽Ａの周壁の一部を切除して図示しない車椅子が出入り可能な開口部５０と、当該開口部５０を密封状に閉塞する開閉扉５１を設ける構成とすることを特徴とする。なお、開口部５０と開閉扉５１との接合面は、図示しないけれどもゴム等の弾性体からなるシール材が設けられ、水密構造としてなる。また、符号５３は開閉扉５１を閉塞する閉塞鉤止機構の係止部材である。
【００６４】
また、この実施形態では、浴槽Ａへの車椅子の出入りをスムーズにするスロープ台５５を備える構成としてなる。スロープ台５５は、底面に転動部材５６を備え、浴槽Ａに対して引き出し構造としてなり、図示しないガイドレールを介して浴槽Ａの底面下の空間に引き出し収納自在に設けられている。
【００６５】
なお、この実施形態において、移動式浴槽装置の他の構成・作用は、上述した第１の実施形態と略同様の構成・作用を奏するので、同一符号を付して詳しい説明を省略する。
【００６６】
そして、この実施形態では、車椅子使用者が入浴する場合、スロープ台５５を引き出して浴槽Ａに接続する。それから開閉扉５１を開き、車椅子をスロープ台５５上を移動して開口部５０から浴槽Ａ内に入れ、次いで開閉扉５１を閉じ、係止部材５３を係止して開口部５０を密封状に閉塞し、浴槽Ａ内に湯を溜めて車椅子に座した儘で入浴を行なう。しかして、入浴を終えれば、浴槽Ａ内の湯を排出し、開閉扉５１を開いて後、開口部５０からスロープ台５５を通って車椅子を移動し、浴槽Ａ外に出る。その後、スロープ台５５を押し込んで浴槽Ａの底面下に収納する。
【００６７】
なお、図６に示す実施形態では、浴槽Ａに対してスロープ台５５を引き出し構造とした。しかし、この発明では、図示しないけれども、不使用時に立てかけておくことのできるスタンド式構造とすることもできる。
【００６８】
また、図６に示す実施形態では、スロープ台５５を別途設ける構成としたが、これを図７に示す第５の実施形態のように、開閉扉５１をスロープ台と兼ね、天地方向に開閉自在に設けることもできる。なお、図示しないが、開口部５０と開閉扉５１との接合面は、上述したようにゴム等の弾性体からなるシール材が設けられて水密構造としてなり、開閉扉５１を閉塞する閉塞鉤止機構の係止部材を備えるものである。また、この実施形態において、移動式浴槽装置の他の構成・作用は、上述した第１の実施形態と略同様の構成・作用を奏するので、同一符号を付して詳しい説明を省略する。
【００６９】
そして、この実施形態では、開閉扉５１を開放すると図示しない車椅子のスロープ台となる。このため、スロープ台を別途設ける必要がなくなり、部品点数を削減してコストダウンを図ることができる。
【００７０】
なお、図示したすべての実施形態では、浴槽Ａは浴槽本体１とカバー１０とからなる構成とした。しかし、この発明では、図示しないが浴槽Ａは浴槽本体１とカバー１０との組み合わせからなる構成に限るものでなく、たとえば浴槽Ａはカバー１０を有しない構成であってもよい。
【００７１】
また、この浴槽装置の用途を拡張するために、前述の先行技術の特開平８−２１５０８９号に開示されている、浴槽の内部に対して入浴剤，薬剤等を投入する入浴剤投入機構、浴槽の内部を照射する照明機構、浴槽に収容されている湯水を濾過清浄化する濾過機構、ステレオ等の音響機器、テレビ，電話等の情報機器等からなる構成要件を加えることもできる。
【００７２】
【発明の効果】
以上のように、本発明（請求項１に記載の発明）に係る移動式浴槽装置は、浴槽装置を移動するとき駆動機構を駆動することによりその駆動力で車輪を回転駆動するので、浴槽装置を持ち上げたり強く押引したりすることなく簡単に移動することができ、身体をマッサージする目的の噴射機構等、各種用途の機構の付設により重量化しあるいは中型乃至大型化する浴槽装置にあっても作業労力を軽減して移動性の向上を図ることができ、用途の多様化に対応することができる。
【００７３】
また、本発明によれば、浴槽本体とカバーとの間に形成される間隙のデッドスペースを有効利用して電動モータ、ジェットポンプ、制御部等の機器類の収納スペースを確保できるので、カバーが外側の最大サイズとして凹凸がない形状でそのまま移動することができ、外観体裁が良好となる。また、この効果により、外観面からの設置場所の制約が少なくなる効果が生ずる。
【００７４】
また、請求項２に記載の発明によれば、身体の背を支えるバックレストの傾斜に着目し、この傾斜とカバーとの間に形成される広いバックレスト間隙部を収納スペースとして有効に活用することができる。
【００７５】
また、請求項２に記載の発明によれば、駆動機構と車輪とを直接連結するので、部品点数を少なくして構造を簡単にすることができる。
【００７６】
とくに、請求項３に記載の発明によれば、浴槽装置の移動をリモコン操作できるので、より一層操作性の向上を図ることができる。
【００７７】
また、請求項３に記載の発明によれば、開口部から車椅子を浴槽内に入れて車椅子に座した儘で入浴を行なうことができるので、車椅子使用者の入浴設備を簡素化することができるし、入浴介助者の労力負担を軽減することができる。
【００７８】
また、請求項３に記載の発明によれば、スロープ台上を移動して車椅子を浴槽内に入れることができるので、車椅子の移動作業が簡単にでき、入浴介助者の労力負担を軽減することができる。
【００７９】
さらにまた、請求項３に記載の発明によれば、開閉扉とスロープ台とを兼ねた構造とすることにより、別途スロープ台を設ける必要がなくなり、部品点数を削減してコストダウンを図ることができる。
【図面の簡単な説明】
【図１】本発明に係る移動式浴槽装置の第１の実施形態の分解斜視図である。
【図２】図１の組付状態の断面図である。
【図３】図１の組付状態での設置使用例を示す側面図である。
【図４】本発明に係る移動式浴槽装置の第２の実施形態の側面図である。
【図５】本発明に係る移動式浴槽装置の第３の実施形態の部分斜視図である。
【図６】本発明に係る移動式浴槽装置の第４の実施形態の部分斜視図である。
【図７】本発明に係る移動式浴槽装置の第５の実施形態の部分斜視図である。
【符号の説明】
Ａ                浴槽
１                浴槽本体
２                バックレスト
１０              カバー
１５              車輪
１８              駆動機構（電動モータ）
１９              伝達機構
２０              電源スイッチ
４５              リモコン送信機
４６              受信部
５０              開口部
５１              開閉扉
５５              スロープ台
Ｓ                間隙部
Ｓ１              バックレスト間隙部
【図１】
0004185180.tif 000002
【図２】
0004185180.tif 000003
【図３】
0004185180.tif 000004
【図４】
0004185180.tif 000005
【図５】
0004185180.tif 000006
【図６】
0004185180.tif 000007
【図７】
0004185180.tif 000008